(57)【特許請求の範囲】
【請求項１】
複数の上位設定項目と、複数の前記上位設定項目のそれぞれに対応づけられた下位設定項目とを、表示可能な座標入力面を有し、前記座標入力面に対するタッチ入力により指示入力可能な表示手段に表示する表示処理手段と、
複数の前記上位設定項目から、前記表示手段の前記座標入力面への指示により任意の前記上位設定項目の選択を受付ける選択受付手段と、を備え、
前記表示処理手段は、予め定められた円形の周方向に予め定められた順序で前記上位設定項目を配置して、すべての前記上位設定項目を選択可能に前記表示手段に表示し、前記選択受付手段によりいずれかの前記上位設定項目の選択が受付けられた場合、前記周方向上で前記順序を保持しながら複数の前記上位設定項目の前記配置を変更し、選択が受付けられた前記上位設定項目のすべての前記下位設定項目を選択可能に前記表示手段に表示するとともに、前記選択受付手段が選択を受付けた前記上位設定項目以外の前記上位設定項目の前記下位設定項目を他の前記上位設定項目および他の前記下位設定項目と重ならない位置で前記表示手段に縮小表示すること、
を特徴とする表示処理装置。
【請求項２】
前記表示処理手段は、前記選択受付手段が選択を受付けた前記上位設定項目以外の前記上位設定項目の前記下位設定項目を選択不可能に表示すること、
を特徴とする請求項１に記載の表示処理装置。
【請求項３】
前記表示処理手段は、選択を受付けた前記上位設定項目および前記下位設定項目を用いた所定の処理の対象となる情報を選択する選択画面をさらに表示すること、
を特徴とする請求項１に記載の表示処理装置。
【請求項４】
前記表示処理手段は、前記選択画面の表示を指示する指示情報を常に選択可能に表示すること、
を特徴とする請求項３に記載の表示処理装置。
【請求項５】
前記選択受付手段は、前記選択画面に表示された前記情報から、少なくとも１つの前記情報の選択を受付け、
前記表示処理手段は、前記選択受付手段が前記情報を受付けた場合に、前記選択受付手段が前記情報を受付ける前と異なる描画属性で前記指示情報を表示すること、
を特徴とする請求項３に記載の表示処理装置。
【請求項６】
前記表示処理手段は、前記情報のサムネイル画像を前記選択画面にさらに表示すること、
を特徴とする請求項３に記載の表示処理装置。
【請求項７】
前記表示処理手段は、前記情報を一意に識別する識別情報を一覧形式で表示すること、
を特徴とする請求項３に記載の表示処理装置。
【請求項８】
前記表示処理手段は、選択を受付けた前記上位設定項目および前記下位設定項目を用いた所定の処理の進行状況をさらに表示すること、
を特徴とする請求項１に記載の表示処理装置。
【請求項９】
前記表示処理手段は、複数の前記処理が並列で実行される場合に、複数の前記処理の進行状況を同時に表示すること、
を特徴とする請求項８に記載の表示処理装置。
【請求項１０】
前記表示処理手段は、選択を受付けた前記上位設定項目および前記下位設定項目を用いた所定の処理を行った結果の概略を示すプレビュー情報をさらに表示すること、
を特徴とする請求項１に記載の表示処理装置。
【請求項１１】
利用者の認証を行う利用者認証手段をさらに備え、
前記表示処理手段は、前記利用者認証手段が認証した利用者に対して、利用者ごとに予め定められた前記上位設定項目および前記下位設定項目を表示すること、
を特徴とする請求項１に記載の表示処理装置。
【請求項１２】
前記表示処理手段は、前記利用者認証手段が利用者を認証する前は、すべての利用者が使用可能な予め定められた前記上位設定項目および前記下位設定項目を表示すること、
を特徴とする請求項１１に記載の表示処理装置。
【請求項１３】
前記表示処理手段は、前記利用者認証手段が利用者を認証する前は、すべての利用者が使用可能な予め定められた前記上位設定項目および前記下位設定項目以外の前記上位設定項目および前記下位設定項目を選択不可能に表示すること、
を特徴とする請求項１１に記載の表示処理装置。
【請求項１４】
表示可能な座標入力面を有し、前記座標入力面に対するタッチ入力により指示入力可能な表示操作手段と、
複数の上位設定項目と、複数の前記上位設定項目のそれぞれに対応づけられた画像形成処理に関する下位設定項目とを前記表示操作手段に表示する表示処理手段と、
前記表示手段の前記座標入力面への指示により、複数の前記上位設定項目から任意の前記上位設定項目の選択を受付け、選択を受付けた前記上位設定項目に対応づけられた前記下位設定項目から任意の前記下位設定項目の選択を受付ける選択受付手段と、
前記選択受付手段が選択を受付けた前記下位設定項目に基づいて画像形成処理を行う画像形成処理手段と、を備え、
前記表示処理手段は、予め定められた円形の周方向に予め定められた順序で前記上位設定項目を配置して、すべての前記上位設定項目を選択可能に前記表示操作手段に表示し、前記選択受付手段によりいずれかの前記上位設定項目の選択が受付けられた場合、前記周方向上で前記順序を保持しながら複数の前記上位設定項目の前記配置を変更し、選択が受付けられた前記上位設定項目のすべての前記下位設定項目を選択可能に前記表示操作手段に表示するとともに、前記選択受付手段が選択を受付けた前記上位設定項目以外の前記上位設定項目の前記下位設定項目を他の前記上位設定項目および他の前記下位設定項目と重ならない位置で前記表示操作手段に縮小表示すること、
を特徴とする画像形成装置。
【請求項１５】
複数の上位設定項目と、複数の前記上位設定項目のそれぞれに対応づけられた下位設定項目とを、表示可能な座標入力面を有し、前記座標入力面に対するタッチ入力により指示入力可能な表示手段に表示する表示処理ステップと、
複数の前記上位設定項目から、前記表示手段の前記座標入力面への指示により任意の前記上位設定項目の選択を受付ける選択受付ステップと、を備え、
前記表示処理ステップは、予め定められた円形の周方向に予め定められた順序で前記上位設定項目を配置して、すべての前記上位設定項目を選択可能に前記表示手段に表示し、前記選択受付ステップによりいずれかの前記上位設定項目の選択が受付けられた場合、前記周方向上で前記順序を保持しながら複数の前記上位設定項目の前記配置を変更し、選択が受付けられた前記上位設定項目のすべての前記下位設定項目を選択可能に前記表示手段に表示するとともに、前記選択受付ステップが選択を受付けた前記上位設定項目以外の前記上位設定項目の前記下位設定項目を他の前記上位設定項目および他の前記下位設定項目と重ならない位置で前記表示手段に縮小表示すること、
を特徴とする表示処理方法。
【請求項１６】
前記表示処理ステップは、前記選択受付ステップが選択を受付けた前記上位設定項目以外の前記上位設定項目の前記下位設定項目を選択不可能に表示すること、
を特徴とする請求項１５に記載の表示処理方法。
【請求項１７】
前記表示処理ステップは、選択を受付けた前記上位設定項目および前記下位設定項目を用いた所定の処理の対象となる情報を選択する選択画面をさらに表示すること、
を特徴とする請求項１５に記載の表示処理方法。
【請求項１８】
前記表示処理ステップは、前記選択画面の表示を指示する指示情報を常に選択可能に表示すること、
を特徴とする請求項１７に記載の表示処理方法。
【請求項１９】
前記選択受付ステップは、前記選択画面に表示された前記情報から、少なくとも１つの前記情報の選択を受付け、
前記表示処理ステップは、前記選択受付ステップが前記情報を受付けた場合に、前記選択受付ステップが前記情報を受付ける前と異なる描画属性で前記指示情報を表示すること、
を特徴とする請求項１７に記載の表示処理方法。
【請求項２０】
前記表示処理ステップは、前記情報のサムネイル画像を前記選択画面にさらに表示すること、
を特徴とする請求項１７に記載の表示処理方法。
【請求項２１】
前記表示処理ステップは、前記情報を一意に識別する識別情報を一覧形式で表示すること、
を特徴とする請求項１７に記載の表示処理方法。
【請求項２２】
前記表示処理ステップは、選択を受付けた前記上位設定項目および前記下位設定項目を用いた所定の処理の進行状況をさらに表示すること、
を特徴とする請求項１５に記載の表示処理方法。
【請求項２３】
前記表示処理ステップは、複数の前記処理が並列で実行される場合に、複数の前記処理の進行状況を同時に表示すること、
を特徴とする請求項２２に記載の表示処理方法。
【請求項２４】
前記表示処理ステップは、選択を受付けた前記上位設定項目および前記下位設定項目を用いた所定の処理を行った結果の概略を示すプレビュー情報をさらに表示すること、
を特徴とする請求項１５に記載の表示処理方法。
【請求項２５】
利用者の認証を行う利用者認証ステップをさらに備え、
前記表示処理ステップは、前記利用者認証ステップが認証した利用者に対して、利用者ごとに予め定められた前記上位設定項目および前記下位設定項目を表示すること、
を特徴とする請求項１５に記載の表示処理方法。
【請求項２６】
前記表示処理ステップは、前記利用者認証ステップが利用者を認証する前は、すべての利用者が使用可能な予め定められた前記上位設定項目および前記下位設定項目を表示すること、
を特徴とする請求項２５に記載の表示処理方法。
【請求項２７】
前記表示処理ステップは、前記利用者認証ステップが利用者を認証する前は、すべての利用者が使用可能な予め定められた前記上位設定項目および前記下位設定項目以外の前記上位設定項目および前記下位設定項目を選択不可能に表示すること、
を特徴とする請求項２５に記載の表示処理方法。
【請求項２８】
請求項１５〜請求項２７のいずれか１つに記載された表示処理方法をコンピュータで実行させることを特徴とする表示処理プログラム。
【発明の詳細な説明】
【技術分野】
【０００１】
この発明は、機能設定および実行のための操作画面を表示する画像形成装置、表示処理装置、表示処理方法および表示処理プログラムに関するものである。
【背景技術】
【０００２】
近年、プリンタ、コピー、ファクシミリ、スキャナなどの各装置の機能を１つの筐体内に収納した、いわゆるＭＦＰ（Multi Function Peripheral）と呼ばれる画像形成装置（以下、複合機という。）が知られている。この複合機は、１つの筐体内に表示部、印刷部および撮像部などを設けるとともに、プリンタ、コピーおよびファクシミリ装置にそれぞれ対応したソフトウェアを設け、これらのソフトウェアを切り替えることによって、当該装置をプリンタ、コピー、スキャナまたはファクシミリ装置として動作させるものである。
【０００３】
このような従来の複合機では、上述の各種機能を実行する際の設定を行うため、液晶タッチパネルなどの表示操作部が設けられている。近年の複合機は、機能が複数存在する上に、設定すべき項目が多くなっているため、わかりやすい設定画面を表示することや、利用者による設定の操作負担を軽減することが求められている。
【０００４】
これに対し、例えば、複数の機能のすべての設定項目を１画面に表示するのではなく、所定のボタンやタブを選択することにより各機能の設定画面を切り替えて表示する方法などが実現されている。
【０００５】
また、例えば、特許文献１では、各機能で同様の操作処理を行う設定項目については画面表示を共通化することにより、機能ごとに設定画面を切り替えて表示した場合であっても操作しやすく、わかりやすい操作部を提供可能とする技術が提案されている。
【０００６】
【特許文献１】特開２００５−１８４８６０号公報
【発明の開示】
【発明が解決しようとする課題】
【０００７】
しかしながら、特許文献１の方法では、現在設定している機能以外の機能の設定内容の確認が容易でないという問題があった。すなわち、特許文献１の方法では、機能ごとに設定画面を切り替えて表示するため、他の機能の設定内容を把握するためには画面を切り替える操作が必要となり、操作負担が増加するという問題があった。
【０００８】
本発明は、上記に鑑みてなされたものであって、機能ごとの設定内容の表示方法を改善することにより、項目設定処理の操作性を向上させる画像形成装置、表示処理装置、表示処理方法および表示処理プログラムを提供することを目的とする。
【課題を解決するための手段】
【０００９】
上述した課題を解決し、目的を達成するために、請求項１にかかる発明は、複数の上位設定項目と、複数の前記上位設定項目のそれぞれに対応づけられた下位設定項目とを、表示可能な座標入力面を有し、前記座標入力面に対するタッチ入力により指示入力可能な表示手段に表示する表示処理手段と、複数の前記上位設定項目から、前記表示手段の前記座標入力面への指示により任意の前記上位設定項目の選択を受付ける選択受付手段と、を備え、前記表示処理手段は、予め定められた円形の周方向に予め定められた順序で前記上位設定項目を配置して、すべての前記上位設定項目を選択可能に前記表示手段に表示し、前記選択受付手段によりいずれかの前記上位設定項目の選択が受付けられた場合、前記周方向上で前記順序を保持しながら複数の前記上位設定項目の前記配置を変更し、選択が受付けられた前記上位設定項目のすべての前記下位設定項目を選択可能に前記表示手段に表示するとともに、前記選択受付手段が選択を受付けた前記上位設定項目以外の前記上位設定項目の前記下位設定項目を他の前記上位設定項目および他の前記下位設定項目と重ならない位置で前記表示手段に縮小表示すること、を特徴とする。
【００１３】
また、請求項２にかかる発明は、請求項１にかかる発明において、前記表示処理手段は、前記選択受付手段が選択を受付けた前記上位設定項目以外の前記上位設定項目の前記下位設定項目を選択不可能に表示すること、を特徴とする。
【００１４】
また、請求項３にかかる発明は、請求項１にかかる発明において、前記表示処理手段は、選択を受付けた前記上位設定項目および前記下位設定項目を用いた所定の処理の対象となる情報を選択する選択画面をさらに表示すること、を特徴とする。
【００１５】
また、請求項４にかかる発明は、請求項３にかかる発明において、前記表示処理手段は、前記選択画面の表示を指示する指示情報を常に選択可能に表示すること、を特徴とする。
【００１６】
また、請求項５にかかる発明は、請求項３にかかる発明において、前記選択受付手段は、前記選択画面に表示された前記情報から、少なくとも１つの前記情報の選択を受付け、前記表示処理手段は、前記選択受付手段が前記情報を受付けた場合に、前記選択受付手段が前記情報を受付ける前と異なる描画属性で前記指示情報を表示すること、を特徴とする。
【００１７】
また、請求項６にかかる発明は、請求項３にかかる発明において、前記表示処理手段は、前記情報のサムネイル画像を前記選択画面にさらに表示すること、を特徴とする。
【００１８】
また、請求項７にかかる発明は、請求項３にかかる発明において、前記表示処理手段は、前記情報を一意に識別する識別情報を一覧形式で表示すること、を特徴とする。
【００１９】
また、請求項８にかかる発明は、請求項１にかかる発明において、前記表示処理手段は、選択を受付けた前記上位設定項目および前記下位設定項目を用いた所定の処理の進行状況をさらに表示すること、を特徴とする。
【００２０】
また、請求項９にかかる発明は、請求項８にかかる発明において、前記表示処理手段は、複数の前記処理が並列で実行される場合に、複数の前記処理の進行状況を同時に表示すること、を特徴とする。
【００２１】
また、請求項１０にかかる発明は、請求項１にかかる発明において、前記表示処理手段は、選択を受付けた前記上位設定項目および前記下位設定項目を用いた所定の処理を行った結果の概略を示すプレビュー情報をさらに表示すること、を特徴とする。
【００２２】
また、請求項１１にかかる発明は、請求項１にかかる発明において、利用者の認証を行う利用者認証手段をさらに備え、前記表示処理手段は、前記利用者認証手段が認証した利用者に対して、利用者ごとに予め定められた前記上位設定項目および前記下位設定項目を表示すること、を特徴とする。
【００２３】
また、請求項１２にかかる発明は、請求項１１にかかる発明において、前記表示処理手段は、前記利用者認証手段が利用者を認証する前は、すべての利用者が使用可能な予め定められた前記上位設定項目および前記下位設定項目を表示すること、を特徴とする。
【００２４】
また、請求項１３にかかる発明は、請求項１１にかかる発明において、前記表示処理手段は、前記利用者認証手段が利用者を認証する前は、すべての利用者が使用可能な予め定められた前記上位設定項目および前記下位設定項目以外の前記上位設定項目および前記下位設定項目を選択不可能に表示すること、を特徴とする。
【００２５】
また、請求項１４にかかる発明は、表示可能な座標入力面を有し、前記座標入力面に対するタッチ入力により指示入力可能な表示操作手段と、複数の上位設定項目と、複数の前記上位設定項目のそれぞれに対応づけられた画像形成処理に関する下位設定項目とを前記表示操作手段に表示する表示処理手段と、前記表示手段の前記座標入力面への指示により、複数の前記上位設定項目から任意の前記上位設定項目の選択を受付け、選択を受付けた前記上位設定項目に対応づけられた前記下位設定項目から任意の前記下位設定項目の選択を受付ける選択受付手段と、前記選択受付手段が選択を受付けた前記下位設定項目に基づいて画像形成処理を行う画像形成処理手段と、を備え、前記表示処理手段は、予め定められた円形の周方向に予め定められた順序で前記上位設定項目を配置して、すべての前記上位設定項目を選択可能に前記表示操作手段に表示し、前記選択受付手段によりいずれかの前記上位設定項目の選択が受付けられた場合、前記周方向上で前記順序を保持しながら複数の前記上位設定項目の前記配置を変更し、選択が受付けられた前記上位設定項目のすべての前記下位設定項目を選択可能に前記表示操作手段に表示するとともに、前記選択受付手段が選択を受付けた前記上位設定項目以外の前記上位設定項目の前記下位設定項目を他の前記上位設定項目および他の前記下位設定項目と重ならない位置で前記表示操作手段に縮小表示すること、を特徴とする。
【００２６】
また、請求項１５にかかる発明は、複数の上位設定項目と、複数の前記上位設定項目のそれぞれに対応づけられた下位設定項目とを、表示可能な座標入力面を有し、前記座標入力面に対するタッチ入力により指示入力可能な表示手段に表示する表示処理ステップと、複数の前記上位設定項目から、前記表示手段の前記座標入力面への指示により任意の前記上位設定項目の選択を受付ける選択受付ステップと、を備え、前記表示処理ステップは、予め定められた円形の周方向に予め定められた順序で前記上位設定項目を配置して、すべての前記上位設定項目を選択可能に前記表示手段に表示し、前記選択受付ステップによりいずれかの前記上位設定項目の選択が受付けられた場合、前記周方向上で前記順序を保持しながら複数の前記上位設定項目の前記配置を変更し、選択が受付けられた前記上位設定項目のすべての前記下位設定項目を選択可能に前記表示手段に表示するとともに、前記選択受付ステップが選択を受付けた前記上位設定項目以外の前記上位設定項目の前記下位設定項目を他の前記上位設定項目および他の前記下位設定項目と重ならない位置で前記表示手段に縮小表示すること、を特徴とする。
【００３０】
また、請求項１６にかかる発明は、請求項１５にかかる発明において、前記表示処理ステップは、前記選択受付ステップが選択を受付けた前記上位設定項目以外の前記上位設定項目の前記下位設定項目を選択不可能に表示すること、を特徴とする。
【００３１】
また、請求項１７にかかる発明は、請求項１５にかかる発明において、前記表示処理ステップは、選択を受付けた前記上位設定項目および前記下位設定項目を用いた所定の処理の対象となる情報を選択する選択画面をさらに表示すること、を特徴とする。
【００３２】
また、請求項１８にかかる発明は、請求項１７にかかる発明において、前記表示処理ステップは、前記選択画面の表示を指示する指示情報を常に選択可能に表示すること、を特徴とする。
【００３３】
また、請求項１９にかかる発明は、請求項１７にかかる発明において、前記選択受付ステップは、前記選択画面に表示された前記情報から、少なくとも１つの前記情報の選択を受付け、前記表示処理ステップは、前記選択受付ステップが前記情報を受付けた場合に、前記選択受付ステップが前記情報を受付ける前と異なる描画属性で前記指示情報を表示すること、を特徴とする。
【００３４】
また、請求項２０にかかる発明は、請求項１７にかかる発明において、前記表示処理ステップは、前記情報のサムネイル画像を前記選択画面にさらに表示すること、を特徴とする。
【００３５】
また、請求項２１にかかる発明は、請求項１７にかかる発明において、前記表示処理ステップは、前記情報を一意に識別する識別情報を一覧形式で表示すること、を特徴とする。
【００３６】
また、請求項２２にかかる発明は、請求項１５にかかる発明において、前記表示処理ステップは、選択を受付けた前記上位設定項目および前記下位設定項目を用いた所定の処理の進行状況をさらに表示すること、を特徴とする。
【００３７】
また、請求項２３にかかる発明は、請求項２２にかかる発明において、前記表示処理ステップは、複数の前記処理が並列で実行される場合に、複数の前記処理の進行状況を同時に表示すること、を特徴とする。
【００３８】
また、請求項２４にかかる発明は、請求項１５にかかる発明において、前記表示処理ステップは、選択を受付けた前記上位設定項目および前記下位設定項目を用いた所定の処理を行った結果の概略を示すプレビュー情報をさらに表示すること、を特徴とする。
【００３９】
また、請求項２５にかかる発明は、請求項１５にかかる発明において、利用者の認証を行う利用者認証ステップをさらに備え、前記表示処理ステップは、前記利用者認証ステップが認証した利用者に対して、利用者ごとに予め定められた前記上位設定項目および前記下位設定項目を表示すること、を特徴とする。
【００４０】
また、請求項２６にかかる発明は、請求項２５にかかる発明において、前記表示処理ステップは、前記利用者認証ステップが利用者を認証する前は、すべての利用者が使用可能な予め定められた前記上位設定項目および前記下位設定項目を表示すること、を特徴とする。
【００４１】
また、請求項２７にかかる発明は、請求項２５にかかる発明において、前記表示処理ステップは、前記利用者認証ステップが利用者を認証する前は、すべての利用者が使用可能な予め定められた前記上位設定項目および前記下位設定項目以外の前記上位設定項目および前記下位設定項目を選択不可能に表示すること、を特徴とする。
【００４２】
また、請求項２８にかかる発明は、請求項１５〜請求項２７のいずれか１つに記載された表示処理方法をコンピュータで実行させることを特徴とする。
【発明の効果】
【００４３】
請求項１にかかる発明によれば、選択している機能以外の機能の設定内容を縮小して表示することができるため、現在処理している機能以外の機能の設定内容の把握が容易となり、項目設定処理の操作性を向上させることができるという効果を奏する。また、請求項１にかかる発明によれば、表示画面上でタッチ入力が可能となるため、項目設定処理の操作性をさらに向上させることができるという効果を奏する。また、請求項１にかかる発明によれば、選択された上位設定項目の配置を変更して下位設定項目を選択可能に表示するため、下位設定項目の選択処理の操作性を向上させることができるという効果を奏する。また、請求項１にかかる発明によれば、円形の周方向に配置された上位設定項目の順序を保ったまま配置を変更して下位設定項目を選択可能に表示するため、いずれの設定項目が選択可能であるかを把握することが容易になるという効果を奏する。
【００４７】
また、請求項２にかかる発明によれば、選択された上位設定項目以外の上位設定項目に対応する下位設定項目が選択不可能となるため、誤操作を防止し項目設定処理の操作性を向上させることができるという効果を奏する。
【００４８】
また、請求項３にかかる発明によれば、処理の対象となる情報の選択画面を表示可能となるため、当該情報の選択処理も含めた所定の処理全体の操作性を向上させることができるという効果を奏する。
【００４９】
また、請求項４にかかる発明によれば、選択画面を表示するためのボタン等の指示情報を常に表示することができるため、情報の選択処理の操作性を向上させることができるという効果を奏する。
【００５０】
また、請求項５にかかる発明によれば、選択画面で処理対象となる情報を取得した後のボタン等の指示情報の描画属性を変更することができるため、情報が選択済みであることを利用者が明確に把握することができるという効果を奏する。
【００５１】
また、請求項６にかかる発明によれば、処理対象となる情報のサムネイル画像を表示することができるため、情報の内容の確認が容易となり、情報の選択処理の操作性を向上させることができるという効果を奏する。
【００５２】
また、請求項７にかかる発明によれば、処理対象となる情報の識別情報を一覧形式で表示することができるため、情報の内容の確認が容易となり、情報の選択処理の操作性を向上させることができるという効果を奏する。
【００５３】
また、請求項８にかかる発明によれば、選択した設定項目を用いた所定の処理の進行状況を表示することができるため、利用者が処理の状況を明確に把握することができるという効果を奏する。
【００５４】
また、請求項９にかかる発明によれば、複数の処理の進行状況を同時に表示することができるため、利用者が複数の処理の状況を容易かつ明確に把握することができるという効果を奏する。
【００５５】
また、請求項１０にかかる発明によれば、処理結果の概略を示すプレビュー情報を表示できるため、選択した設定項目を用いた処理の結果を明確に把握できるという効果を奏する。
【００５６】
また、請求項１１にかかる発明によれば、認証された利用者ごとに予め定められた設定項目を表示することができるため、個々の利用者の要求に応じた処理が実現できるという効果を奏する。
【００５７】
また、請求項１２にかかる発明によれば、利用者が認証される前はすべての利用者が使用可能な設定項目を表示することができるため、共通で利用可能な処理に関する項目設定処理の操作性を向上させることができるという効果を奏する。
【００５８】
また、請求項１３にかかる発明によれば、利用者が認証される前はすべての利用者が使用可能な設定項目以外の設定項目を選択不可能に表示することができるため、誤操作を防止し項目設定処理の操作性を向上させることができるという効果を奏する。
【００５９】
また、請求項１４にかかる発明によれば、画像形成処理に関して選択している機能以外の機能の設定内容を縮小して表示することができるため、現在処理している機能以外の機能の設定内容の把握が容易となり、項目設定処理の操作性を向上させることができるという効果を奏する。
【００６０】
また、請求項１５にかかる発明によれば、選択している機能以外の機能の設定内容を縮小して表示することができるため、現在処理している機能以外の機能の設定内容の把握が容易となり、項目設定処理の操作性を向上させることができるという効果を奏する。また、請求項１５にかかる発明によれば、表示画面上でタッチ入力が可能となるため、項目設定処理の操作性をさらに向上させることができるという効果を奏する。また、請求項１５にかかる発明によれば、選択された上位設定項目の配置を変更して下位設定項目を選択可能に表示するため、下位設定項目の選択処理の操作性を向上させることができるという効果を奏する。また、請求項１５にかかる発明によれば、円形の周方向に配置された上位設定項目の順序を保ったまま配置を変更して下位設定項目を選択可能に表示するため、いずれの設定項目が選択可能であるかを把握することが容易になるという効果を奏する。
【００６４】
また、請求項１６にかかる発明によれば、選択された上位設定項目以外の上位設定項目に対応する下位設定項目が選択不可能となるため、誤操作を防止し項目設定処理の操作性を向上させることができるという効果を奏する。
【００６５】
また、請求項１７にかかる発明によれば、処理の対象となる情報の選択画面を表示可能となるため、当該情報の選択処理も含めた所定の処理全体の操作性を向上させることができるという効果を奏する。
【００６６】
また、請求項１８にかかる発明によれば、選択画面を表示するためのボタン等の指示情報を常に表示することができるため、情報の選択処理の操作性を向上させることができるという効果を奏する。
【００６７】
また、請求項１９にかかる発明によれば、選択画面で処理対象となる情報を取得した後のボタン等の指示情報の描画属性を変更することができるため、情報が選択済みであることを利用者が明確に把握することができるという効果を奏する。
【００６８】
また、請求項２０にかかる発明によれば、処理対象となる情報のサムネイル画像を表示することができるため、情報の内容の確認が容易となり、情報の選択処理の操作性を向上させることができるという効果を奏する。
【００６９】
また、請求項２１にかかる発明によれば、処理対象となる情報の識別情報を一覧形式で表示することができるため、情報の内容の確認が容易となり、情報の選択処理の操作性を向上させることができるという効果を奏する。
【００７０】
また、請求項２２にかかる発明によれば、選択した設定項目を用いた所定の処理の進行状況を表示することができるため、利用者が処理の状況を明確に把握することができるという効果を奏する。
【００７１】
また、請求項２３にかかる発明によれば、複数の処理の進行状況を同時に表示することができるため、利用者が複数の処理の状況を容易かつ明確に把握することができるという効果を奏する。
【００７２】
また、請求項２４にかかる発明によれば、処理結果の概略を示すプレビュー情報を表示できるため、選択した設定項目を用いた処理の結果を明確に把握できるという効果を奏する。
【００７３】
また、請求項２５にかかる発明によれば、認証された利用者ごとに予め定められた設定項目を表示することができるため、個々の利用者の要求に応じた処理が実現できるという効果を奏する。
【００７４】
また、請求項２６にかかる発明によれば、利用者が認証される前はすべての利用者が使用可能な設定項目を表示することができるため、共通で利用可能な処理に関する項目設定処理の操作性を向上させることができるという効果を奏する。
【００７５】
また、請求項２７にかかる発明によれば、利用者が認証される前はすべての利用者が使用可能な設定項目以外の設定項目を選択不可能に表示することができるため、誤操作を防止し項目設定処理の操作性を向上させることができるという効果を奏する。
【００７６】
また、請求項２８の発明によれば、請求項１５〜請求項２７のいずれか１つに記載の方法をコンピュータに実行させることができるという効果を奏する。
【発明を実施するための最良の形態】
【００７７】
以下に添付図面を参照して、この発明にかかる画像形成装置、表示処理装置、表示処理方法および表示処理プログラムの最良な実施の形態を詳細に説明する。
【００７８】
（第１の実施の形態）
第１の実施の形態にかかる表示処理装置は、選択している機能以外の機能の設定内容を縮小して表示するものである。また、第１の実施の形態にかかる表示処理装置は、複数の機能を画面上の所定の領域の外周上に配置し、機能の選択を切り替えたときに複数の機能を、外周上を移動するように回転表示して、新たに選択した機能を前方に表示する。そして、選択した機能以外の機能の設定内容は、選択できないように縮小して再表示する。
【００７９】
なお、本実施の形態では、この発明を画像形成装置の一種であるＭＦＰに適用した場合について説明するが、本発明はこれに限らず、表示処理をおこなう各種装置に適用することができる。
【００８０】
図１は、第１の実施の形態にかかる表示処理装置の機能を実行することができるＭＦＰ１の機能ブロック図である。同図に示すようにＭＦＰ１は、構成としてオペレーティングシステム１５３と、サービス層１５２と、アプリケーション層１５１と、記憶部１０４と、操作パネル２００とを備えている。
【００８１】
同図に示すように、ＭＦＰ１の機能は階層関係となっており、オペレーティングシステム１５３の上層にサービス層１５２が構築され、サービス層１５２の上層に後述する本実施の形態の特徴部分が含まれたアプリケーション層１５１が構築されている。
【００８２】
オペレーティングシステム１５３は、ハードウェアリソースを含めたＭＦＰ１の資源を管理し、サービス層１５２やアプリケーション層１５１に対して当該資源を利用した機能を提供する。
【００８３】
サービス層１５２は、ＭＦＰ１が備えているハードウェアリソースを制御するドライバーに相当する。後述するアプリケーション層１５１の実行処理部１０５からの出力処理の要求に応じて、スキャナ制御部１２１、プロッタ制御部１２２、蓄積制御部１２３、配信／メール送受信制御部１２４、ＦＡＸ送受信制御部１２５、通信制御部１２６等からＭＦＰ１が備えているハードウェアリソースを制御して、様々な機能が実行される。
【００８４】
記憶部１０４は、紙原稿から読み込まれたまたは、メール若しくはＦＡＸから受信した画像データを記憶する。また、記憶部１０４は、画像データ等のデータを記憶可能な記憶手段であり、例えばＨＤＤ（Hard Disk Drive）、光ディスク、メモリカードなどの一般的に用いられるあらゆる記憶媒体で構成することができる。
【００８５】
操作パネル２００は、操作画面の表示、操作画面上での入力の受付けを行うユーザインターフェースである。
【００８６】
図２は、ＭＦＰ１の操作パネル２００の一例を示した図である。同図に示したように、かかる操作パネル２００は、初期設定キー２０１、コピーキー２０２、コピーサーバーキー２０３、プリンタキー２０４、送信キー２０５、テンキー２０６、クリア／ストップキー２０７、スタートキー２０８、予熱キー２０９、リセットキー２１０および液晶タッチパネル２２０を有する。そして、液晶タッチパネル２２０に本実施の形態の特徴となる画面が表示されることになるが、この画面については後述する。
【００８７】
なお、ＭＦＰ１は、記憶部１０４、操作パネル２００以外にもスキャナ、プロッタなどの様々なハードウェアリソースを備えているが、説明は省略する。
【００８８】
図１に戻り、アプリケーション層１５１は、表示処理部１０１と、選択受付部１０３と、実行処理部１０５と、利用者認証部１０６を備えている。
【００８９】
利用者認証部１０６は、ＭＦＰ１を使用する際に、利用者の認証を行う。利用者の認証方法としては、当業者で周知な技術であるか否かを問わず、どのような認証方法を用いてもよい。利用者認証部１０６で利用者の認証が成功した場合、ＭＦＰ１で所定の機能の使用が許可される。許可される機能としては、例えば、Ｅ＿ｍａｉｌの送受信等が存在する。また、利用者認証部１０６による利用者の認証は最初に行うこととし、後述する機能を使用する場合、原則として、すでに利用者の認証は済んでいるものとする。
【００９０】
表示処理部１０１は、液晶タッチパネル２２０に、各種機能の実行または設定項目の設定を行うための操作画面を表示する。本実施の形態では、表示処理部１０１は、画面上の所定の領域の外周上に複数の機能を選択可能に表示する。そして、機能の選択を切り替えるたびに、複数の機能の順序を保持しながら外周上を移動するように回転表示して、新たに選択した機能を前方に表示する。その際、選択した機能の詳細な設定内容を選択可能とし、選択した機能以外の機能の設定内容は選択できないように縮小して表示する。
【００９１】
選択受付部１０３は、表示処理部１０１により表示された画面から、設定項目が示された領域の選択を受付ける。具体的には、表示処理部１０１により液晶タッチパネル２２０に表示された設定項目を利用者が押下した場合、選択受付部１０３は、設定項目が選択されたものとして受付ける。また、選択受付部１０３は、後述する初期設定キー２０１等の各種ボタンからの入力を受付ける。
【００９２】
実行処理部１０５は、入力処理部１１１および出力処理部１１２を備え、ＭＦＰ１が有する機能を用いた入出力処理を実行する。そして、実行処理部１０５で処理した内容に基づいて、サービス層１５２に備えられた各制御部が、ハードウェアリソースを制御することで、ハードウェアを用いた処理が行われる。
【００９３】
入力処理部１１１は、選択受付部１０３により選択を受け付けた設定項目に対応する入力機能を用いた画像データを入力処理する。例えば、選択受付部１０３が、設定項目「Ｃｏｐｙ」の選択を受け付けた場合、入力処理部１１１がスキャナ制御部１２１より図示しないスキャナを制御することで、紙原稿の読み込み処理を行う。
【００９４】
出力処理部１１２は、選択受付部１０３により選択を受け付けた設定項目に対応する出力機能を用いた画像データを出力処理する。例えば、選択受付部１０３が、設定項目「Ｃｏｐｙ」の選択を受け付けた場合、出力処理部１１２がプロッタ制御部１２２により図示しないプロッタを制御することで、紙原稿として印刷処理を制御する。
【００９５】
次に、このように構成された第１の実施の形態にかかるＭＦＰ１による表示処理について説明する。図３は、第１の実施の形態における表示処理の全体の流れを示すフローチャートである。
【００９６】
まず、選択受付部１０３が、利用者が入力したログイン情報を受付ける（ステップＳ３０１）。具体的には、選択受付部１０３は、ログイン画面（後述）上で入力されたユーザ名およびパスワードをログイン情報として受付ける。なお、ログイン画面は、初期画面（後述）に表示されるログイン用のボタンを利用者が選択した際に表示される。
【００９７】
次に、利用者認証部１０６が、選択受付部１０３により受付けられたログイン情報を元に利用者の認証処理を行う（ステップＳ３０２）。
【００９８】
次に、表示処理部１０１が、ログインした利用者のＨｏｍｅ画面を液晶タッチパネル２２０に表示する（ステップＳ３０３）。Ｈｏｍｅ画面とは、ログイン後に最初に表示される画面であり、利用者ごとに定められた利用頻度の高い機能などを登録した画面をいう。Ｈｏｍｅ画面の詳細については後述する。
【００９９】
次に、選択受付部１０３が、他の機能の選択が受付けられたか否かを判断する（ステップＳ３０４）。他の機能とは、定型的な処理を定義したジョブ（Ｊｏｂ）を表示するＪｏｂ画面、ＭＦＰ１の個々の機能（コピー、ＦＡＸ送信など）を表示するＦｕｎｃｔｉｏｎｓ画面、および処理の履歴を表示するＨｉｓｔｏｒｙ画面などを表示するための機能をいう。
【０１００】
他の機能の選択が受付けられた場合（ステップＳ３０４：ＹＥＳ）、表示処理部１０１は、選択された機能に対応する画面を液晶タッチパネル２２０に表示する（ステップＳ３０５）。
【０１０１】
他の機能の選択が受付けられていない場合（ステップＳ３０４：ＮＯ）、選択受付部１０３は、設定要求が受付けられたか否かを判断する（ステップＳ３０６）。設定要求とは、ＭＦＰ１の個々の機能を実行するときの設定項目を変更する要求、または画面上で選択されている設定項目を変更する要求をいう。
【０１０２】
設定要求が受付けられた場合（ステップＳ３０６：ＹＥＳ）、表示処理部１０１は、設定項目を変更するための設定画面を液晶タッチパネル２２０に表示する（ステップＳ３０７）。なお、すでに表示されている設定項目を変更する設定要求の場合は、新たな設定画面は表示せず、表示処理部１０１は、表示されている画面上の設定項目の変更のみを行う。
【０１０３】
設定要求が受付けられていない場合（ステップＳ３０６：ＮＯ）、選択受付部１０３は、ログアウト要求が受付けられたか否かを判断する（ステップＳ３０８）。ログアウト要求は、画面の下部に表示されるログアウト用のボタンが選択されたときに受付けられる。
【０１０４】
ログアウト要求が受付けられていない場合（ステップＳ３０８：ＮＯ）、他の機能の選択受付処理に戻り処理が繰り返される（ステップＳ３０４）。
【０１０５】
ログアウト要求が受付けられた場合（ステップＳ３０８：ＹＥＳ）、表示処理部１０１は、ログイン前の初期画面を表示する（ステップＳ３０９）。
【０１０６】
このように、本実施の形態では、利用者のログイン後、利用者が選択した機能または設定要求に応じて各種画面が表示される。以下に、各画面と画面遷移の詳細について説明する。
【０１０７】
なお、各画面の画面遷移では、図３のフローチャートに従って、任意の画面上での機能の選択等に応じた他の画面を表示する画面遷移処理が実行される。
【０１０８】
図４は、初期画面の一例を示す説明図である。同図に示すように、初期画面は画面中央に、すべての利用者が共通で使用できる機能であることを示す項目４０１（Ｃｏｍｍｏｎ  Ａｃｃｅｓｓ  Ｍｅｎｕ）が表示されている。また、項目４０１の下側には、選択可能な設定内容である下位の設定項目が複数表示されている。なお、以下では下位の設定項目を表示する領域を下位項目表示領域という。
【０１０９】
同図では、下位項目表示領域４０２に、共通で使用できる機能として、コピー（Ｃｏｐｉｅｒ）、所定の利用者（Ｊｏｈｎ）への文書送信処理を定義したジョブ（Ｓｅｎｄ  ｔｏ  Ｊｏｈｎ）などが表示されている。
【０１１０】
なお、下位設定項目が多数存在し、下位項目表示領域４０２にすべて表示できない場合は、スクロールバーなどを設けてスクロール表示可能とする。例えば、同図に示すように下位項目表示領域の右側にスクロールバー４０３を表示し、設定項目ごとの表示をスクロールさせて表示可能とする。
【０１１１】
また、初期画面の背景色または選択項目表示領域の色などの描画属性を、後述する利用者がログイン後の各画面の描画属性と異なるように構成してもよい。これにより、利用者がログイン前の状態であることを明確に把握可能となる。
【０１１２】
また、項目４０１の上部には、ログイン後に選択しうる機能として、Ｊｏｂｓ、Ｆｕｎｃｔｉｏｎｓ、およびＨｉｓｔｏｒｙが表示されている。初期画面では、これらの機能は使用できないため、各機能の下側に各機能の設定内容を表すアイコンは表示しない。これにより、利用者がログイン前の状態であり、上記各機能が使用できないことを明確に把握可能となる。
【０１１３】
同図の右下部に表示されているログインボタン４０４（Ｌｏｇｉｎ）を選択することにより、ログイン画面が表示される。
【０１１４】
図５は、ログイン画面の一例を示す説明図である。同図に示すように、ログイン画面では、画面下部にログインユーザ名（Ｌｏｇｉｎ  ｎａｍｅ）と、パスワード（Ｐａｓｓｗｏｒｄ）とを入力する入力領域５０１が表示される。
【０１１５】
入力領域５０１のキャンセルボタン５０２（ｃａｎｃｅｌ）を選択すると初期画面に戻る。入力領域でユーザ名、パスワードを入力し、ＯＫボタン５０３を選択すると、利用者ごとに定められたＨｏｍｅ画面が表示される。
【０１１６】
図６は、Ｈｏｍｅ画面の一例を示す説明図である。同図に示すように、Ｈｏｍｅ画面では、Ｈｏｍｅ画面が選択されていることを示す項目６０１（Ｈｏｍｅ）の下側に、利用者が頻繁に使用する機能が一覧形式で表示されている。
【０１１７】
このように、本実施の形態では、選択または設定する項目が上位下位の階層構造で表示されている。例えば、図６では、項目６０１（Ｈｏｍｅ）が上位の設定項目であり、当該上位設定項目に対して、項目６０２（Ｓｅｎｄ  ｔｏ  Ｊｏｈｎ）等が下位の設定項目として下位項目表示領域４０２に表示されている。
【０１１８】
同図では、Ｊｏｂｓ、Ｆｕｎｃｔｉｏｎｓ、およびＨｉｓｔｏｒｙの各機能が選択可能となるため、各機能の下側に各機能の設定内容を表すアイコン６０３、６０４、６０５が縮小して表示されることが示されている。
【０１１９】
このように、本実施の形態では、選択されている項目以外の項目の設定内容（下位設定項目）が小さいアイコン等で縮小表示されるため、他の項目でどのような設定がされているかを利用者が視覚的に明確に把握可能となる。
【０１２０】
同図に示すように、Ｈｏｍｅ画面では、図の点線で示すような仮想的な表示領域６１０の外周上に、４つの機能（Ｈｏｍｅ、Ｊｏｂｓ、Ｆｕｎｃｔｉｏｎｓ、およびＨｉｓｔｏｒｙ）が選択可能に表示される。なお、表示領域６１０の点線は、実際には画面に表示されない。
【０１２１】
同図で利用者が他の機能を選択した場合、表示領域６１０の外周上を４つの機能が順序を保持しながら回転表示され、選択された機能が画面の中央部から下部の範囲に拡大表示される。
【０１２２】
その際、選択された機能の下位設定項目は選択可能に拡大されて表示される。一方、選択された機能以外の機能は、画面上部に縮小表示され、その下位設定項目は選択不可能なように表示される。
【０１２３】
同図の下部には、ログアウトを実行するためのログアウトボタン６０６が表示されている。ログアウトボタン６０６を選択すると初期画面に遷移する。
【０１２４】
また、同図の左下部には、入力元となる文書を指定するｅＤｏｃｕｍｅｎｔｓ画面を表示するためのデジタルドキュメントボタン６０７が表示されている。後述するように、このボタンは、上述の４つの機能に対応するいずれの画面においても表示され、選択可能となっている。これにより、利用者はいずれの機能の実行時であっても入力元の文書を容易に指定することができるようになる。
【０１２５】
次に、Ｈｏｍｅ画面内の設定内容の変更および確認を行う設定変更画面について説明する。図７は、Ｈｏｍｅ画面内でジョブを選択したときに表示される設定変更画面の一例を示す説明図である。同図は、ステップＳ３０６の設定要求に相当するジョブのクリック操作等により表示される画面であり、ステップＳ３０６の設定項目を変更するための設定画面に相当する画面である。
【０１２６】
同図に示すように、設定変更画面では、ジョブの詳細を表示する詳細表示領域７０１が表示され、この詳細表示領域７０１内にジョブを構成するコピー機能、文書送信機能などの個々の機能が表示される。
【０１２７】
同図では、コピー機能（Ｃｏｐｙ）、文書送信機能（Ｓｅｎｄ）、文書蓄積機能（Ｓｔｏｒａｇｅ）、スキャナ機能（Ｓｃａｎｎｅｒ）が並行して実行されるジョブの例が示されている。
【０１２８】
同図の画面右上の閉じるボタン７０２を選択することにより、詳細表示領域７０１が閉じられ、Ｈｏｍｅ画面が再表示される。なお、設定変更画面では、ジョブの変更等の処理が実行可能だが、その処理の詳細についてはＪｏｂ機能の説明時に合わせて説明する。
【０１２９】
以上で、ログイン後に最初に表示されるＨｏｍｅ画面について説明した。利用者は、Ｈｏｍｅ画面から、他の機能であるＪｏｂ、Ｆｕｎｃｔｉｏｎｓ、およびＨｉｓｔｏｒｙを選択し、対応する画面であるＪｏｂ画面、Ｆｕｎｃｔｉｏｎｓ画面、およびＨｉｓｔｏｒｙ画面を表示できる。なお、機能はこれらに限られるものではなく、その他のあらゆる機能を設定し選択可能とするように構成することができる。
【０１３０】
次に、上述の機能ごとの画面の詳細について説明する。図８は、Ｆｕｎｃｔｉｏｎｓ画面の一例を示す説明図である。
【０１３１】
同図に示すように、Ｆｕｎｃｔｉｏｎｓ画面は、ＭＦＰ１が備えるコピー機能、Ｆａｘ送信機能等の個々の機能のみが選択可能である以外は、Ｈｏｍｅ画面と同様の構成となっている。
【０１３２】
なお、同図に示すように、図６のＨｏｍｅ画面で表示されていた下位項目表示領域のアイコンを縮小したアイコンが、Ｈｏｍｅ機能に対応する表示領域８０１に表示されている。このように、例えばＨｏｍｅ画面以外の画面であっても、実際のＨｏｍｅ画面の表示と同様の内容を縮小して表示することができるため、利用者は選択した項目以外の項目の設定内容を理解することが可能となる。
【０１３３】
図９は、Ｈｉｓｔｏｒｙ画面の一例を示す説明図である。同図に示すように、Ｈｉｓｔｏｒｙ画面は、過去の処理の履歴が一覧形式で表示されている。
【０１３４】
図１０は、Ｊｏｂ画面の一例を示す説明図である。同図に示すように、Ｊｏｂ画面は、定型的な処理を定義したジョブのみが選択可能である以外は、Ｈｏｍｅ画面と同様の構成となっている。
【０１３５】
図１１は、Ｊｏｂ画面内でジョブを選択したときに表示される設定変更画面の一例を示す説明図である。Ｊｏｂ画面でジョブを選択した場合も、上述した図７と同様の設定変更画面が表示される。以下に、設定変更画面における設定変更処理の詳細について説明する。
【０１３６】
詳細表示領域７０１には、個々の機能の処理結果の概要を示すプレビュー１１０１、１１０２、１１０３、１１０４が表示される。また、各プレビューの右側には、個々の機能の削除を行うための削除アイコン１１０５が表示される。利用者が削除する機能を削除アイコン１１０５上にドラッグすることにより、機能の削除が実行できる。
【０１３７】
個々の機能の詳細設定を確認または変更する場合は、個々の機能のクリックまたはダブルクリック等の所定の操作を行うことにより、詳細設定画面を表示する。
【０１３８】
図１２は、詳細設定画面の一例を示す説明図である。同図は、図１１のプレビュー１１０１に対応する機能であるＣｏｐｙ機能についての詳細設定画面の一例を表した図である。図１２に示すように、詳細表示領域７０１のさらに下側に、個々の機能の詳細設定を行う詳細設定領域１２０１が表示される。
【０１３９】
詳細設定領域１２０１には、例えば、カラー、トレイ、拡大縮小率、ソート、パンチなどの詳細な設定項目が表示され、利用者による変更が可能となる。
【０１４０】
なお、詳細設定領域１２０１では、詳細な設定項目を適用した画像の例を示すプレビュー１２０２が表示される。さらに、詳細設定領域１２０１では、設定が変更されると同時に変更した設定を反映したプレビュー１２０２が表示される。これにより、利用者が変更した設定を即時的かつ視覚的に確認できるようになる。
【０１４１】
プレビュー１２０２を選択すると、プレビュー１２０２を拡大表示する拡大表示画面が表示される。
【０１４２】
図１３は、拡大表示画面の一例を示す説明図である。同図に示すように、拡大表示画面にはプレビューを拡大して表示する拡大表示領域１３０１が表示され、拡大表示領域１３０１内にプレビューの拡大画像が表示される。これにより、例えばパンチ穴の位置等を利用者が明確に確認することができるようになる。
【０１４３】
図１１に戻り、例えばジョブのアイコンをダブルクリックするなどの所定の操作を実行すると、ジョブの実行が開始され、ジョブの実行状況を表示する状況表示画面が表示される。
【０１４４】
図１４は、状況表示画面の一例を示す説明図である。同図に示すように、状況表示画面では、個々の機能の下側に、個々の機能ごとの進行状況を示すグラフ１４０１および数値１４０２が表示され、利用者による進行状況の確認が可能となっている。
【０１４５】
同図の例のように、１つのジョブに複数の機能が登録されている場合は、各機能の進行状況が同時に画面上で確認できる。なお、進行状況の表示方法はこれに限られるものではなく、従来から用いられているあらゆる方法を適用することができる。
【０１４６】
図１１に戻り、利用者が新規ジョブを作成する場合は、新規ジョブアイコン１１０６を選択する。利用者が新規ジョブアイコン１１０６を選択すると、新規ジョブを作成するジョブ作成画面が表示される。なお、ジョブ作成画面は、図１０の新規ジョブアイコンを選択することによっても表示可能である。
【０１４７】
図１５は、ジョブ作成画面の一例を示す説明図である。同図に示すように、ジョブ作成画面では、図１１の詳細表示領域７０１と同様であるが機能が設定されていない作成領域１５０１が表示される。
【０１４８】
利用者は、ジョブに登録する機能を選択することにより、図１２に示すような当該機能の詳細設定画面を表示することができる。そして、詳細設定画面で当該機能の詳細な設定内容を指定することができる。
【０１４９】
すべての機能を登録した後、図１５の作成領域１５０１の右上部に表示されている保存ボタン１５０２を選択することにより、利用者は作成したジョブを保存することができる。
【０１５０】
図１６は、新規ジョブを保存した後のＪｏｂ画面の一例を示す説明図である。同図では、新規に作成されたジョブのアイコン１６０１が図１０のジョブに加えて表示されたＪｏｂ画面の例が示されている。
【０１５１】
次に、上述の４つの機能のいずれの画面からも表示可能なｅＤｏｃｕｍｅｎｔｓ画面について説明する。
【０１５２】
図１７は、ｅＤｏｃｕｍｅｎｔｓ画面の一例を示す説明図である。同図に示すように、ｅＤｏｃｕｍｅｎｔｓ画面では、入力元となる文書のサムネイル画像を表示し、利用者による選択が可能となっている。
【０１５３】
ｅＤｏｃｕｍｅｎｔｓ画面では、ＭＦＰ１の内部に記憶された文書の他、通信制御部１２６等を用いて外部装置から取得可能な文書を入力元の文書として表示することができる。
【０１５４】
サムネイル画像の右側には、文書の検索などを行う各種ボタンが表示されている。検索ボタン１７０１を選択すると、入力元の文書を検索するための画面（図示せず）がサムネイル画像の部分に代わって表示される。サムネイルボタン１７０２を選択すると、再度図１７のようなサムネイル画像が表示される。
【０１５５】
リストボタン１７０３を選択すると、サムネイル画像に代わり、文書が一覧形式で表示される（図示せず）。文書を選択後、編集ボタン１７０４を選択すると、選択した文書を編集する画面（図示せず）が表示される。
【０１５６】
プロパティボタン１７０５を選択すると、選択した文書の属性を表示する画面（図示せず）が表示される。プレビューボタン１７０６を選択すると、選択した文書の画像が拡大表示されたプレビュー画像を確認する画面（図示せず）が表示される。
【０１５７】
図１８は、文書選択後のｅＤｏｃｕｍｅｎｔｓ画面の一例を示す説明図である。同図に示すように、文書１８０１を選択すると選択した文書の背景色が変更されるとともに、デジタルドキュメントボタン６０７の表示色などの描画属性も変更される。なお、一旦文書が選択されれば、他の機能の画面に遷移した場合であっても、デジタルドキュメントボタン６０７の表示色は変更されたまま表示される。
【０１５８】
図１９は、デジタルドキュメントボタン６０７の表示色が変更されたＨｏｍｅ画面の一例を示す説明図である。同図に示すように、デジタルドキュメントボタン６０７の表示色が、文書選択前のＨｏｍｅ画面を表す図６と異なる色で表示されている。これにより、利用者は入力元の文書が選択済みであることを容易かつ明確に認識することが可能となる。
【０１５９】
図２０は、第１の実施の形態にかかるＭＦＰ１のハードウェア構成を示すブロック図である。同図に示すように、このＭＦＰ１は、コントローラ１０とエンジン部（Engine）６０とをＰＣＩ（Peripheral Component Interconnect）バスで接続した構成となる。コントローラ１０は、ＭＦＰ１全体の制御と描画、通信、操作パネル２００からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【０１６０】
コントローラ１０は、ＣＰＵ（Central Processing Unit）１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ＮＢ１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂと、をさらに有する。
【０１６１】
ＣＰＵ１１は、ＭＦＰ１の全体制御をおこなうものであり、ＮＢ１３、ＭＥＭ−Ｐ１２およびＳＢ１４からなるチップセットを有し、このチップセットを介して他の機器と接続される。
【０１６２】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０１６３】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０１６４】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１６５】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【０１６６】
ＭＥＭ−Ｃ１７は、コピー用画像バッファ、符号バッファとして用いるローカルメモリであり、ＨＤＤ１８は、画像データの蓄積、プログラムの蓄積、フォントデータの蓄積、フォームの蓄積を行うためのストレージである。
【０１６７】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１６８】
このように、第１の実施の形態にかかる表示処理装置は、複数の機能を画面上の所定の領域の外周上に配置し、機能の選択を切り替えたときに複数の機能を、外周上を移動するように回転表示して、新たに選択した機能を前方に表示する。そして、選択した機能以外の機能の設定内容は、選択できないように縮小して表示することができる。これにより、現在処理している機能以外の機能の設定内容の把握が容易となり、項目設定処理の操作性を向上させることができる。
【０１６９】
（第２の実施の形態）
上述した実施の形態では表示処理装置を実行するＭＦＰについて説明したが、表示処理装置を実行する装置はＭＦＰに制限されるものではない。そこで第２の実施の形態ではＭＦＰ以外の表示処理装置の構成例について説明する。
【０１７０】
図２１は、第２の実施の形態にかかる表示処理装置２１００の機能ブロック図である。同図に示すように表示処理装置２１００は、第１の実施の形態にかかるＭＦＰ１のアプリケーション層１５１の内部とほぼ同様の構成を備えている。第２の実施の形態では、液晶タッチパネル２２０を含む操作パネル２００の代わりに表示部２１０１と操作部２１０２とが追加されたこと、およびアプリケーション層１５１の内部に記憶部１０４を備えていることである。
【０１７１】
表示部２１０１は、表示処理部１０１により各種画面が表示される処理部である。表示部２１０１は、例えば携帯可能な表示処理装置２１００に組み込まれた液晶パネル等が考えられる。
【０１７２】
操作部２１０２は、利用者が表示処理装置２１００に対して操作を行うために設けられたインターフェースである。操作部２１０２は、利用者が各機能や設定項目の選択が実行できるインターフェースであればどのような機構でもよい。
【０１７３】
また、操作部２１０２からの入力で選択受付部１０３が各機能や設定項目の選択を受け付ける。すなわち、上述した第１の実施の形態のような液晶パネルが表示部２１０１として備えられた場合であっても、上述した実施の形態のように利用者の指などで触接することで入力可能な液晶タッチパネルである必要はないことを意味する。
【０１７４】
本実施の形態の表示処理装置２１００が組み込まれた装置としては、画像形成装置や、音楽データを保存して他の機器への出力または再生等が可能なＡＶ機器などが考えられる。すなわち、入力機能や出力機能などを備えた装置であり、装置が備えた液晶パネル等の表示部に表示が可能な装置であり、機能の選択または設定項目の選択を実行するための液晶タッチパネルまたは複数のボタン等を有するインターフェースを備えた装置であれば、どのような装置でもよい。
【０１７５】
他の例として、汎用的に用いられるＰＣ（Personal Computer）や、カーナビゲーション装置に本実施の形態の表示処理装置２１００を組み込んでもよい。
【０１７６】
また、本実施の形態にかかる表示処理装置２１００を、複数の機能または設定項目を表示するために必要十分なサイズの表示部とインターフェースを備え、携帯して用いられる機器等にも組み込むことができる。例えば、ＰＤＡや携帯型ゲーム端末のような液晶タッチパネル等を備えた携帯型の端末等が考えられる。
【０１７７】
このように表示部およびインターフェースが十分でない携帯型の装置でも、本実施の形態の方法を適用することにより、機能や設定項目の選択、および選択した機能以外の設定内容の把握が容易となり、操作性が向上する。
【０１７８】
また、第１の実施の形態と同様に、表示処理装置の操作部にタッチパネル等を用いてもよい。例えば、タッチパネルを備えた装置で、表示部に複数の機能または設定項目が表示され、利用者がタッチパネルを押下することで表示された機能等の選択を受け付けることができる。このように、入力インターフェースが制限されている装置であっても、選択した機能以外の設定内容が縮小表示可能なため、設定内容の確認が容易となり、操作性が向上する。
【０１７９】
なお、上述した実施の形態で示した表示処理装置で実行される表示処理プログラムは、ＲＯＭ等に予め組み込まれて提供される。
【０１８０】
また、上述した実施形態で示した表示処理装置で実行される表示処理プログラムは、インストール可能な形式または実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０１８１】
さらに、本実施形態の表示処理装置で実行される表示処理プログラムを、インターネット等のネットワークに接続されたコンピュータ上に格納し、ネットワーク経由でダウンロードさせることにより提供するように構成してもよい。また、本実施形態の表示処理装置で実行される表示処理プログラムをインターネット等のネットワーク経由で提供または配布するように構成してもよい。
【０１８２】
本実施の形態の表示処理装置で実行される表示処理プログラムは、上述した各部（表示処理部、選択受付部、実行処理部、および利用者認証部）を含むモジュール構成となっており、実際のハードウェアとしてはＣＰＵ（プロセッサ）が上記ＲＯＭから表示処理プログラムを読み出して実行することにより上記各部が主記憶装置上にロードされ、上記各部が主記憶装置上に生成されるようになっている。
【産業上の利用可能性】
【０１８３】
以上のように、本発明にかかる画像形成装置、表示処理装置、表示処理方法および表示処理プログラムは、複数の設定内容を有する複数の設定項目を表示して利用者が各設定項目の選択を行う操作画面を備えた装置に適している。
【図面の簡単な説明】
【０１８４】
【図１】第１の実施の形態にかかる表示処理装置の機能を実行することができるＭＦＰの機能ブロック図である。
【図２】ＭＦＰの操作パネルの一例を示した図である。
【図３】第１の実施の形態における表示処理の全体の流れを示すフローチャートである。
【図４】初期画面の一例を示す説明図である。
【図５】ログイン画面の一例を示す説明図である。
【図６】Ｈｏｍｅ画面の一例を示す説明図である。
【図７】Ｈｏｍｅ画面内でジョブを選択したときに表示される設定変更画面の一例を示す説明図である。
【図８】Ｆｕｎｃｔｉｏｎｓ画面の一例を示す説明図である。
【図９】Ｈｉｓｔｏｒｙ画面の一例を示す説明図である。
【図１０】Ｊｏｂ画面の一例を示す説明図である。
【図１１】Ｊｏｂ画面内でジョブを選択したときに表示される設定変更画面の一例を示す説明図である。
【図１２】詳細設定画面の一例を示す説明図である。
【図１３】拡大表示画面の一例を示す説明図である。
【図１４】状況表示画面の一例を示す説明図である。
【図１５】ジョブ作成画面の一例を示す説明図である。
【図１６】新規ジョブを保存した後のＪｏｂ画面の一例を示す説明図である。
【図１７】ｅＤｏｃｕｍｅｎｔｓ画面の一例を示す説明図である。
【図１８】文書選択後のｅＤｏｃｕｍｅｎｔｓ画面の一例を示す説明図である。
【図１９】デジタルドキュメントボタンの表示色が変更されたＨｏｍｅ画面の一例を示す説明図である。
【図２０】第１の実施の形態にかかるＭＦＰのハードウェア構成を示すブロック図である。
【図２１】第２の実施の形態にかかる表示処理装置の機能ブロック図である。
【符号の説明】
【０１８５】
１０  コントローラ
１１  ＣＰＵ
１２  システムメモリ（ＭＥＭ−Ｐ）
１２ａ  ＲＯＭ
１２ｂ  ＲＡＭ
１３  ノースブリッジ（ＮＢ）
１４  サウスブリッジ（ＳＢ）
１５  ＡＧＰバス
１６  ＡＳＩＣ
１７  ローカルメモリ（ＭＥＭ−Ｃ）
１８  ハードディスクドライブ（ＨＤＤ）
３０  ＦＣＵ
４０  ＵＳＢ
５０  ＩＥＥＥ１３９４インターフェース
６０  エンジン部
１０１  表示処理部
１０３  選択受付部
１０４  記憶部
１０５  実行処理部
１０６  利用者認証部
１１１  入力処理部
１１２  出力処理部
１２１  スキャナ制御部
１２２  プロッタ制御部
１２３  蓄積制御部
１２４  メール送受信制御部
１２５  ＦＡＸ送受信制御部
１２６  通信制御部
１５１  アプリケーション層
１５２  サービス層
１５３  オペレーティングシステム
２００  操作パネル
２０１  初期設定キー
２０２  コピーキー
２０３  コピーサーバーキー
２０４  プリンタキー
２０５  送信キー
２０６  テンキー
２０７  ストップキー
２０８  スタートキー
２０９  予熱キー
２１０  リセットキー
２２０  液晶タッチパネル
４０１  項目
４０２  下位項目表示領域
４０３  スクロールバー
４０４  ログインボタン
５０１  入力領域
５０２  キャンセルボタン
５０３  ＯＫボタン
６０１、６０２  項目
６０３、６０４、６０５  アイコン
６０６  ログアウトボタン
６０７  デジタルドキュメントボタン
６１０  表示領域
７０１  詳細表示領域
７０２  閉じるボタン
８０１  表示領域
１１０１、１１０２、１１０３、１１０４  プレビュー
１１０５  削除アイコン
１１０６  新規ジョブアイコン
１２０１  詳細設定領域
１２０２  プレビュー
１３０１  拡大表示領域
１４０１  グラフ
１４０２  数値
１５０１  作成領域
１５０２  保存ボタン
１６０１  アイコン
１７０１  検索ボタン
１７０２  サムネイルボタン
１７０３  リストボタン
１７０４  編集ボタン
１７０５  プロパティボタン
１７０６  プレビューボタン
１８０１  文書
２１００  表示処理装置
２１０１  表示部
２１０２  操作部
【図１】
0004704235.tif 000002
【図２】
0004704235.tif 000003
【図３】
0004704235.tif 000004
【図４】
0004704235.tif 000005
【図５】
0004704235.tif 000006
【図６】
0004704235.tif 000007
【図７】
0004704235.tif 000008
【図８】
0004704235.tif 000009
【図９】
0004704235.tif 000010
【図１０】
0004704235.tif 000011
【図１１】
0004704235.tif 000012
【図１２】
0004704235.tif 000013
【図１３】
0004704235.tif 000014
【図１４】
0004704235.tif 000015
【図１５】
0004704235.tif 000016
【図１６】
0004704235.tif 000017
【図１７】
0004704235.tif 000018
【図１８】
0004704235.tif 000019
【図１９】
0004704235.tif 000020
【図２０】
0004704235.tif 000021
【図２１】
0004704235.tif 000022